【手続補正書】
【提出日】平成18年6月5日(2006.6.5)
【手続補正１】
【補正対象書類名】明細書
【補正対象項目名】特許請求の範囲
【補正方法】変更
【補正の内容】
【特許請求の範囲】
【請求項１】  移動体無線通信システムにおいてパワー制御のための伝送品質目標値を設定する方法であって、
圧縮モードの効果を補償するために、オフセットが予め前記伝送品質目標値に適用され、それによって圧縮フレームで伝送ギャップの間伝送が中断し、これに対応して伝送速度が適合されて、前記伝送ギャップを補償し、
前記オフセットは、前記伝送速度適合の効果を補償するための第１の成分と前記伝送ギャップの効果を補償するための第２の成分を含み、
前記伝送速度適合分は、圧縮フレームを含む伝送時間間隔について適用され、前記第２の成分は、前記圧縮フレームについておよび／または前記圧縮フレームの次の少なくとも１フレームすなわち回復フレームについてのみ適用される方法。
【請求項２】  複数のトランスポートチャネルは、伝送パワーが前記パワー制御で制御される物理チャネルのフレームごとに時間多重化され、前記伝送時間間隔のフレーム数は、前記トランスポートチャネルごとに異なる可能性があり、前記第２の成分は、前記フレーム数がいくつであれ、前記圧縮フレームについておよび／または前記圧縮フレームの次の少なくとも１フレームすなわち回復フレームについて適用される、請求項１に記載の方法。
【請求項３】  前記第２の成分が、前記圧縮フレームおよび前記少なくとも１つの回復フレームについてそれぞれ、圧縮フレーム値および回復フレーム値を持つ、請求項１に記載の方法。
【請求項４】  前記伝送速度適応分は、第１あるいは第２タイプの圧縮モードのどちらが使用されるかに応じて、圧縮フレームを含む伝送時間間隔または圧縮フレームのみについて適用され、前記第２の成分は、前記第１あるいは第２タイプの圧縮モードのいずれにおいても、前記圧縮フレームおよび／または前記圧縮フレームの次の少なくとも１フレームすなわち回復フレームについて適用される、請求項１に記載の方法。
【請求項５】  複数のトランスポートチャネルが、伝送パワーが前記パワー制御で制御される物理チャネルのフレームごとに時間多重化され、前記伝送時間間隔のフレーム数が、前記トランスポートチャネルごとに異なる可能性があり、前記第２の成分のみが、前記フレーム数がいくつであれ、前記圧縮フレームおよび／または前記少なくとも１つの回復フレームについて適用される、請求項４に記載の方法。
【請求項６】  前記第１タイプの圧縮モードが、パンクチャリングによる圧縮モードである、請求項４に記載の方法。
【請求項７】  前記第２タイプの圧縮モードは、ＣＤＭＡタイプの移動体無線通信システムにおいて拡散ファクタの減少による圧縮モードである、請求項４に記載の方法。
【請求項８】  移動体無線通信システムにおいてパワー制御のための伝送品質目標値を設定する方法であって、
圧縮モードの効果を補償するために、オフセットが予め前記伝送品質目標値に適用され、それによって圧縮フレームで伝送ギャップの間伝送が中断し、これに対応して伝送速度が適合されて、前記伝送ギャップを補償し、
前記オフセットは、前記伝送速度適合の効果を補償するための第１の成分と前記伝送ギャップの効果を補償するための第２の成分を含み、
前記第２の成分は、圧縮フレームについておよび／または前記圧縮フレームの次の少なくとも１フレームすなわち回復フレームについて適用され、
前記第２の成分は、前記圧縮フレームについておよび前記少なくとも１つの回復フレームについてそれぞれ圧縮フレーム値および回復フレーム値を持ち、連続した２つのフレームすなわち第１のフレームおよび第２のフレームそれぞれが圧縮フレームの場合に、前記第２のフレームについての前記第２の成分の値が、前記回復フレーム値および／または前記圧縮フレーム値に基づいて決定される方法。
【請求項９】  前記第２のフレームについての前記第２の成分の値が、回復フレーム値である、請求項８に記載の方法。
【請求項１０】  前記第２のフレームについての前記第２の成分の値が圧縮フレーム値であり、前記第２のフレームの次のフレームについての前記第２の成分の値が回復フレーム値である、請求項８に記載の方法。
【請求項１１】  前記パワー制御が、前記移動体無線通信システムのアップリンク伝送方向で行われる、請求項１から１０のいずれか一項に記載の方法。
【請求項１２】  前記パワー制御が、前記移動体無線通信システムのダウンリンク伝送方向で行われる、請求項１から１０のいずれか一項に記載の方法。
【請求項１３】  アップリンクで請求項１から１２のいずれか一項に記載の、オフセットを伝送品質目標値に適用する手段を有する、移動体無線通信ネットワークエンティティ。
【請求項１４】  ダウンリンクで請求項１から１２のいずれか一項に記載の、オフセットを伝送品質目標値に適用する手段を有する、移動局。
【請求項１５】  ダウンリンクで移動局が請求項１から１２のいずれか一項に記載のオフセットを伝送品質目標値に適用できるようにするための移動無線通信ネットワークエンティティであって、
前記オフセットを前記移動局に通知する手段を有する、移動体無線通信ネットワークエンティティ。
【請求項１６】  前記移動局に前記圧縮モードの発生を通知する手段を有する、請求項１５に記載の移動体無線通信ネットワークエンティティ。
【請求項１７】  前記移動局に前記オフセットを通知し、かつ前記圧縮モードの発生を通知する手段を有する、請求項１５に記載の移動体無線通信ネットワークエンティティ。
【請求項１８】  前記通知が、圧縮モードパラメータの通知と共に行われる、請求項１５に記載の移動体無線通信ネットワークエンティティ。
【請求項１９】  前記通知が、圧縮フレームごとに行われる、請求項１５に記載の移動体無線通信ネットワークエンティティ。
【請求項２０】  圧縮フレームが周期的に発生する場合では、前記通知は、このように定義された周期のすべての圧縮フレームについて１度行われる、請求項１５に記載の移動体無線通信ネットワークエンティティ。
【請求項２１】  前記通知が前記第２の成分のみの通知を含む、請求項１５に記載の移動体無線通信ネットワークエンティティ。
【請求項２２】  前記第２の成分の前記通知が、前記圧縮フレーム値および／または前記回復フレーム値の通知を含む、請求項２１に記載の移動体無線通信ネットワークエンティティ。
【請求項２３】  移動体無線通信システムにおいてパワー制御のための伝送品質目標値（目標ＳＩＲ）を設定する方法であって、
正常モードと比べて圧縮モードの間の伝送品質目標値オフセット（ΔＳＩＲ）は、圧縮フレームで伝送ギャップの効果を補償するための成分を含み、前記成分（ΔＳＩＲ＿ｃｏｄｉｎｇ）は、
伝送ギャップが、２つのフレームに重ならない場合、
圧縮フレームでは、第１の値（ＤｅｌｔａＳＩＲ）、
圧縮フレームの次の回復フレームでは、第２の値（ＤｅｌｔａＳＩＲａｆｔｅｒ）、または
そうでない場合、０という値を持ち、
伝送ギャップが、２つのフレームに重なる場合、
伝送ギャップの第１の部分を持つ圧縮フレームでは、第１の値（ＤｅｌｔａＳＩＲ）、
伝送ギャップの第２の部分を持つ回復フレームでは、第２の値（ＤｅｌｔａＳＩＲａｆｔｅｒ）、または
そうでない場合、０という値を持つ方法。
【請求項２４】  前記第１の値と前記第２の値が、同一である、請求項２３に記載の方法。
【請求項２５】  前記第１の値と前記第２の値が、異なる、請求項２３に記載の方法。
【請求項２６】  伝送ギャップが、２つのフレームに重ならない場合、前記第２の値が、前記第１の値より小さい、請求項２５に記載の方法。
【請求項２７】  伝送ギャップが、２つのフレームに重なる場合、前記第２の値が、前記第１の値より大きい、請求項２５に記載の方法。
【請求項２８】  前記第２の値が、ゼロではない、請求項２３から２７のいずれか一項に記載の方法。
【請求項２９】  前記第２の値が、ゼロである、請求項２３から２７のいずれか一項に記載の方法。
【請求項３０】  前記伝送品質目標値オフセット（ΔＳＩＲ）が、伝送速度変更の効果を補償して、前記伝送ギャップを補償するための成分を含む、請求項２３から２９のいずれか一項に記載の方法。
【請求項３１】  前記伝送速度変更の効果を補償するための前記成分は、ｍａｘ（ΔＳＩＲ１＿ｃｏｍｐｒｅｓｓｉｏｎ，．．．，ΔＳＩＲｎ＿ｃｏｍｐｒｅｓｓｉｏｎ）によって定義され、ただし、「ｎ」は、コード化コンポジットトランスポートチャネル（ＣＣＴｒＣｈ）のすべてのトランスポートチャネル（ＴｒＣｈ）についての伝送時間間隔（ＴＴＩ）長の数であり、ΔＳＩＲｉ＿ｃｏｍｐｒｅｓｓｉｏｎは、
圧縮モードが、パンクチャリングによって行われる場合、ｉ番目の伝送時間間隔長（ｉ＝１，．．．ｎである）について現在の伝送時間間隔（ＴＴＩ）内に伝送ギャップがある場合、第１の値を持ち、またはそうでない場合、０という値を持ち、
圧縮モードが、拡散ファクタを減少させることによって行われる場合、現在のフレームが圧縮フレームである場合、第２の値を有し、またはそうでない場合、０という値を持つ、請求項３０に記載の方法。
【請求項３２】  ΔＳＩＲｉ＿ｃｏｍｐｒｅｓｓｉｏｎの前記第１の値は、ΔＳＩＲｉ＿ｃｏｍｐｒｅｓｓｉｏｎ＝１０ｌｏｇ（Ｎ＊Ｆｉ／（Ｎ＊Ｆｉ−ＴＧＬｉ））によって定義され、ただし、ＴＧＬｉは、長さＦｉフレームの現在の伝送時間間隔（ＴＴＩ）におけるスロット数のギャップ長であり、Ｎは、フレーム当たりのスロット数である、請求項３１に記載の方法。
【請求項３３】  ΔＳＩＲｉ＿ｃｏｍｐｒｅｓｓｉｏｎの前記第２の値は、ΔＳＩＲｉ＿ｃｏｍｐｒｅｓｓｉｏｎ＝１０ｌｏｇ（ＲＣＦ／Ｒ）によって定義され、ただし、Ｒは、正常なフレームの間の瞬間ネットビット速度であり、ＲＣＦは、現在の圧縮フレームの間の瞬間ネットビット速度である、請求項３１に記載の方法。
【請求項３４】  請求項２３から３３のいずれか一項に記載の、ダウンリンクパワー制御のための伝送品質目標値（目標ＳＩＲ）を設定する手段を含む、移動局。
【請求項３５】  請求項２３から３３のいずれか一項に記載の、アップリンクパワー制御のための伝送品質目標値（目標ＳＩＲ）を設定する手段を含む、移動体無線通信ネットワークエンティティ。
【請求項３６】  請求項２３から３３のいずれか一項に記載の伝送品質目標値（目標ＳＩＲ）を設定するために前記第１の値および前記第２の値（ＤｅｌｔａＳＩＲ、ＤｅｌｔａＳＩＲａｆｔｅｒ）を移動局に通知する手段を含む、移動体無線通信ネットワークエンティティ。
【請求項３７】  移動体無線通信システムにおいてパワー制御のための目標ＳＩＲを設定する方法であって、
各フレームについて、正常モードと比べた圧縮モードの間の目標ＳＩＲオフセットは、ΔＳＩＲ＝ｍａｘ（ΔＳＩＲ１＿ｃｏｍｐｒｅｓｓｉｏｎ，．．．，ΔＳＩＲｎ＿ｃｏｍｐｒｅｓｓｉｏｎ）＋ΔＳＩＲ＿ｃｏｄｉｎｇであり、ただし、「ｎ」は、ＣＣＴｒＣｈ（コード化コンポジットトランスポートチャネル）のすべてのＴｒＣｈ（トランスポートチャネル）についてのＴＴＩ（伝送時間間隔）長の数であり、Ｆｉは、ｉ番目のＴＴＩのフレーム数における長さであり、ΔＳＩＲ＿ｃｏｄｉｎｇは、
圧縮フレームでは、ΔＳＩＲ＿ｃｏｄｉｎｇ＝ＤｅｌｔａＳＩＲ、
圧縮フレームの次のフレームでは、ΔＳＩＲ＿ｃｏｄｉｎｇ＝ＤｅｌｔａＳＩＲａｆｔｅｒ、
そうでない場合、ΔＳＩＲ＿ｃｏｄｉｎｇ＝０を満たし、
ΔＳＩＲｉ＿ｃｏｍｐｒｅｓｓｉｏｎは、
フレームがパンクチャリングで圧縮される場合、
長さＦｉフレームの現在のＴＴＩ内に伝送ギャップがある場合、ΔＳＩＲｉ＿ｃｏｍｐｒｅｓｓｉｏｎ＝１０ｌｏｇ（Ｎ＊Ｆｉ／（Ｎ＊Ｆｉ−ＴＧＬｉ））により定義され、ただし、ＴＧＬｉは、長さＦｉフレームの現在のＴＴＩにおける（１ギャップあるいはギャップの合計のいずれかからの）スロット数のギャップ長であり、Ｎは、フレーム当たりのスロット数であり、
そうでない場合、ΔＳＩＲｉ＿ｃｏｍｐｒｅｓｓｉｏｎ＝０により定義される、方法。
【請求項３８】  フレームが拡散ファクタを減少させることで圧縮される場合、
圧縮フレームごとに、ΔＳＩＲｉ＿ｃｏｍｐｒｅｓｓｉｏｎ＝１０ｌｏｇ（ＲＣＦ／Ｒ）であり、ただし、Ｒは圧縮フレーム前後の瞬間ネットビット速度であり、ＲＣＦは圧縮フレームの間の瞬間ネットビット速度であり、
そうでない場合、ΔＳＩＲｉ＿ｃｏｍｐｒｅｓｓｉｏｎ＝０である、請求項３７に記載の方法。
【請求項３９】  フレームが高レイヤスケジューリングで圧縮される場合、ΔＳＩＲｉ＿ｃｏｍｐｒｅｓｓｉｏｎ＝０である、請求項３７に記載の方法。
【請求項４０】  長さＦｉフレームの現在のＴＴＩ内に伝送ギャップがある場合、ΔＳＩＲｉ＿ｃｏｍｐｒｅｓｓｉｏｎ＝１０ｌｏｇ（１５＊Ｆｉ／（１５＊Ｆｉ−ＴＧＬｉ））であり、ただし、ＴＧＬｉは、長さＦｉフレームの現在のＴＴＩにおける（１ギャップあるいはギャップの合計のいずれかからの）スロット数のギャップ長である、請求項３７に記載の方法。
【請求項４１】  拡散ファクタを２分の１に減少させることによる圧縮モードの場合、ΔＳＩＲｉ＿ｃｏｍｐｒｅｓｓｉｏｎ＝３ｄＢである、請求項３８に記載の方法。
【請求項４２】  伝送ギャップが、２つのフレームに重なる場合、
前記伝送ギャップの第１の部分を持つ前記２つの圧縮フレームの第１のフレームでは、ΔＳＩＲ＿ｃｏｄｉｎｇ＝ＤｅｌｔａＳＩＲであり、
前記伝送ギャップの第２の部分を持つ前記２つの圧縮フレームの第２のフレームでは、ΔＳＩＲ＿ｃｏｄｉｎｇ＝ＤｅｌｔａＳＩＲａｆｔｅｒであり、
前記２つの圧縮フレームの次の第１のフレームでは、ΔＳＩＲ＿ｃｏｄｉｎｇ＝０である、請求項３７に記載の方法。
【請求項４３】  複数の圧縮モードパターンが同時に使用される場合、すべての圧縮モードパターンからのすべての目標ＳＩＲオフセットが加算され、目標ＳＩＲオフセットの合計がフレームに適用される、請求項３７に記載の方法。
【請求項４４】  各フレームについて、正常モードと比べた圧縮モードの間の目標ＳＩＲオフセットは、ΔＳＩＲ＝ｍａｘ（ΔＳＩＲ１＿ｃｏｍｐｒｅｓｓｉｏｎ，．．．，ΔＳＩＲｎ＿ｃｏｍｐｒｅｓｓｉｏｎ）＋ΔＳＩＲ＿ｃｏｄｉｎｇであり、ただし、「ｎ」は、ＣＣＴｒＣｈ（コード化コンポジットトランスポートチャネル）のすべてのＴｒＣｈ（トランスポートチャネル）についてのＴＴＩ（伝送時間間隔）長の数であり、Ｆｉは、ｉ番目のＴＴＩのフレーム数における長さであり、ΔＳＩＲ＿ｃｏｄｉｎｇは、
圧縮フレームでは、ΔＳＩＲ＿ｃｏｄｉｎｇ＝ＤｅｌｔａＳＩＲ、
圧縮フレームの次のフレームでは、ΔＳＩＲ＿ｃｏｄｉｎｇ＝ＤｅｌｔａＳＩＲａｆｔｅｒ、
そうでない場合、ΔＳＩＲ＿ｃｏｄｉｎｇ＝０を満たし、
ΔＳＩＲｉ＿ｃｏｍｐｒｅｓｓｉｏｎは、
フレームがパンクチャリングで圧縮される場合、
長さＦｉフレームの現在のＴＴＩ内に伝送ギャップがある場合、ΔＳＩＲｉ＿ｃｏｍｐｒｅｓｓｉｏｎ＝１０ｌｏｇ（Ｎ＊Ｆｉ／（Ｎ＊Ｆｉ−ＴＧＬｉ））により定義され、ただし、ＴＧＬｉは、長さＦｉフレームの現在のＴＴＩにおける（１ギャップあるいはギャップの合計のいずれかからの）スロット数のギャップ長であり、Ｎは、フレーム当たりのスロット数であり、
そうでない場合、ΔＳＩＲｉ＿ｃｏｍｐｒｅｓｓｉｏｎ＝０により定義される、パワー制御のための目標ＳＩＲオフセットを設定する手段を含む移動局。
【請求項４５】  フレームが拡散ファクタを減少させることで圧縮される場合、
圧縮フレームごとに、ΔＳＩＲｉ＿ｃｏｍｐｒｅｓｓｉｏｎ＝１０ｌｏｇ（ＲＣＦ／Ｒ）であり、ただし、Ｒは圧縮フレーム前後の瞬間ネットビット速度であり、ＲＣＦは圧縮フレームの間の瞬間ネットビット速度であり、
そうでない場合、ΔＳＩＲｉ＿ｃｏｍｐｒｅｓｓｉｏｎ＝０であるように、パワー制御のための目標ＳＩＲオフセットを設定する手段を含む、請求項４４に記載の移動局。
【請求項４６】  フレームが高レイヤスケジューリングで圧縮される場合、ΔＳＩＲｉ＿ｃｏｍｐｒｅｓｓｉｏｎ＝０であるように、パワー制御のための目標ＳＩＲオフセットを設定する手段を含む、請求項４４に記載の移動局。
【請求項４７】  長さＦｉフレームの現在のＴＴＩ内に伝送ギャップがある場合、ΔＳＩＲｉ＿ｃｏｍｐｒｅｓｓｉｏｎ＝１０ｌｏｇ（１５＊Ｆｉ／（１５＊Ｆｉ−ＴＧＬｉ））であり、ただし、ＴＧＬｉは、長さＦｉフレームの現在のＴＴＩにおける（１ギャップあるいはギャップの合計のいずれかからの）スロット数のギャップ長であるように、パワー制御のための目標ＳＩＲオフセットを設定する手段を含む、請求項４４に記載の移動局。
【請求項４８】  拡散ファクタを２分の１に減少させることによる圧縮モードの場合、ΔＳＩＲｉ＿ｃｏｍｐｒｅｓｓｉｏｎ＝３ｄＢであるように、パワー制御のための目標ＳＩＲオフセットを設定する手段を含む、請求項４５に記載の移動局。
【請求項４９】  伝送ギャップが、２つのフレームに重なる場合、
前記伝送ギャップの第１の部分を持つ前記２つの圧縮フレームの第１のフレームでは、ΔＳＩＲ＿ｃｏｄｉｎｇ＝ＤｅｌｔａＳＩＲであり、
前記伝送ギャップの第２の部分を持つ前記２つの圧縮フレームの第２のフレームでは、ΔＳＩＲ＿ｃｏｄｉｎｇ＝ＤｅｌｔａＳＩＲａｆｔｅｒであり、
前記２つの圧縮フレームの次の第１のフレームでは、ΔＳＩＲ＿ｃｏｄｉｎｇ＝０であるように、パワー制御のための目標ＳＩＲオフセットを設定する手段を含む、請求項４４に記載の移動局。
【請求項５０】  複数の圧縮モードパターンが同時に使用される場合、すべての圧縮モードパターンからのすべての目標ＳＩＲオフセットが加算され、目標ＳＩＲオフセットの合計がフレームに適用されるように、パワー制御のための目標ＳＩＲオフセットを設定する手段を含む、請求項４４に記載の移動局。
【請求項５１】  移動局に、前記移動局によってパワー制御のための目標ＳＩＲに適用されるべき目標ＳＩＲオフセットの値ＤｅｌｔａＳＩＲおよび値ＤｅｌｔａＳＩＲａｆｔｅｒを通知する手段を有し、
各フレームについて、正常モードと比べた圧縮モードの間の目標ＳＩＲオフセットは、ΔＳＩＲ＝ｍａｘ（ΔＳＩＲ１＿ｃｏｍｐｒｅｓｓｉｏｎ，．．．，ΔＳＩＲｎ＿ｃｏｍｐｒｅｓｓｉｏｎ）＋ΔＳＩＲ＿ｃｏｄｉｎｇであり、ただし、「ｎ」は、ＣＣＴｒＣｈ（コード化コンポジットトランスポートチャネル）のすべてのＴｒＣｈ（トランスポートチャネル）についてのＴＴＩ（伝送時間間隔）長の数であり、Ｆｉは、ｉ番目のＴＴＩのフレーム数における長さであり、ΔＳＩＲ＿ｃｏｄｉｎｇは、
圧縮フレームでは、ΔＳＩＲ＿ｃｏｄｉｎｇ＝ＤｅｌｔａＳＩＲ、
圧縮フレームの次のフレームでは、ΔＳＩＲ＿ｃｏｄｉｎｇ＝ＤｅｌｔａＳＩＲａｆｔｅｒ、
そうでない場合、ΔＳＩＲ＿ｃｏｄｉｎｇ＝０を満たし、
ΔＳＩＲｉ＿ｃｏｍｐｒｅｓｓｉｏｎは、
フレームがパンクチャリングで圧縮される場合、
長さＦｉフレームの現在のＴＴＩ内に伝送ギャップがある場合、ΔＳＩＲｉ＿ｃｏｍｐｒｅｓｓｉｏｎ＝１０ｌｏｇ（Ｎ＊Ｆｉ／（Ｎ＊Ｆｉ−ＴＧＬｉ））により定義され、ただし、ＴＧＬｉは、長さＦｉフレームの現在のＴＴＩにおける（１ギャップあるいはギャップの合計のいずれかからの）スロット数のギャップ長であり、Ｎは、フレーム当たりのスロット数であり、
そうでない場合、ΔＳＩＲｉ＿ｃｏｍｐｒｅｓｓｉｏｎ＝０により定義される、移動体無線通信ネットワークエンティティ。
【請求項５２】  移動局に、前記移動局によってパワー制御のための目標ＳＩＲに適用されるべき目標ＳＩＲオフセットの値ＤｅｌｔａＳＩＲおよび値ＤｅｌｔａＳＩＲａｆｔｅｒを通知する手段を有し、
フレームが拡散ファクタを減少させることで圧縮される場合、
圧縮フレームごとに、ΔＳＩＲｉ＿ｃｏｍｐｒｅｓｓｉｏｎ＝１０ｌｏｇ（ＲＣＦ／Ｒ）であり、ただし、Ｒは圧縮フレーム前後の瞬間ネットビット速度であり、ＲＣＦは圧縮フレームの間の瞬間ネットビット速度であり、
そうでない場合、ΔＳＩＲｉ＿ｃｏｍｐｒｅｓｓｉｏｎ＝０であるようにする、請求項５１に記載の移動体無線通信ネットワークエンティティ。
【請求項５３】  移動局に、前記移動局によってパワー制御のための目標ＳＩＲに適用されるべき目標ＳＩＲオフセットの値ＤｅｌｔａＳＩＲおよび値ＤｅｌｔａＳＩＲａｆｔｅｒを通知する手段を有し、
フレームが高レイヤスケジューリングで圧縮される場合、ΔＳＩＲｉ＿ｃｏｍｐｒｅｓｓｉｏｎ＝０であるようにする、請求項５１に記載の移動体無線通信ネットワークエンティティ。
【請求項５４】  移動局に、前記移動局によってパワー制御のための目標ＳＩＲに適用されるべき目標ＳＩＲオフセットの値ＤｅｌｔａＳＩＲおよび値ＤｅｌｔａＳＩＲａｆｔｅｒを通知する手段を有し、
長さＦｉフレームの現在のＴＴＩ内に伝送ギャップがある場合、ΔＳＩＲｉ＿ｃｏｍｐｒｅｓｓｉｏｎ＝１０ｌｏｇ（１５＊Ｆｉ／（１５＊Ｆｉ−ＴＧＬｉ））であり、ただし、ＴＧＬｉは、長さＦｉフレームの現在のＴＴＩにおける（１ギャップあるいはギャップの合計のいずれかからの）スロット数のギャップ長であるようにする、請求項５１に記載の移動体無線通信ネットワークエンティティ。
【請求項５５】  移動局に、前記移動局によってパワー制御のための目標ＳＩＲに適用されるべき目標ＳＩＲオフセットの値ＤｅｌｔａＳＩＲおよび値ＤｅｌｔａＳＩＲａｆｔｅｒを通知する手段を有し、
拡散ファクタを２分の１に減少させることによる圧縮モードの場合、ΔＳＩＲｉ＿ｃｏｍｐｒｅｓｓｉｏｎ＝３ｄＢであるようにする、請求項５２に記載の移動体無線通信ネットワークエンティティ。
【請求項５６】  移動局に、前記移動局によってパワー制御のための目標ＳＩＲに適用されるべき目標ＳＩＲオフセットの値ＤｅｌｔａＳＩＲおよび値ＤｅｌｔａＳＩＲａｆｔｅｒを通知する手段を有し、
伝送ギャップが、２つのフレームに重なる場合、
前記伝送ギャップの第１の部分を持つ前記２つの圧縮フレームの第１のフレームでは、ΔＳＩＲ＿ｃｏｄｉｎｇ＝ＤｅｌｔａＳＩＲであり、
前記伝送ギャップの第２の部分を持つ前記２つの圧縮フレームの第２のフレームでは、ΔＳＩＲ＿ｃｏｄｉｎｇ＝ＤｅｌｔａＳＩＲａｆｔｅｒであり、
前記２つの圧縮フレームの次の第１のフレームでは、ΔＳＩＲ＿ｃｏｄｉｎｇ＝０であるようにする、請求項５１に記載の移動体無線通信ネットワークエンティティ。
【請求項５７】  移動局に、前記移動局によってパワー制御のための目標ＳＩＲに適用されるべき目標ＳＩＲオフセットの値ＤｅｌｔａＳＩＲおよび値ＤｅｌｔａＳＩＲａｆｔｅｒを通知する手段を有し、
複数の圧縮モードパターンが同時に使用される場合、すべての圧縮モードパターンからのすべての目標ＳＩＲオフセットが加算され、目標ＳＩＲオフセットの合計がフレームに適用されるようにする、請求項５１に記載の移動体無線通信ネットワークエンティティ。